(57)【要約】【課題】第２の検出器を用いて画像を収集する際の診断領域への位置合わせを容易に行うことができる医用画像撮影装置を提供する。【解決手段】第１のＸ線検出器と、第１のＸ線検出器よりも小視野で高解像度を有し第１のＸ線検出器の視野内の固定位置で被検体を透過したＸ線を検出する第２のＸ線検出器と、を有する撮影部と、第１のＸ線検出器を用いて撮影したリアルタイムの第１の画像データをもとに第２のＸ線検出器の視野領域を示す枠を生成し、第１の画像データの内、枠内の領域の画像データを拡大処理する画像処理部と、第１の画像データ基づく第1の画像に重畳して枠を表示する第１の表示部と、第２のＸ線検出器を用いて被検体を撮影したときに収集されるであろう画像を、拡大処理した画像を用いて擬似的に表示する第２の表示部とを備える。【選択図】図３
2014033850.tif 000002
【特許請求の範囲】
【請求項１】
被検体にＸ線を曝射するＸ線発生部と、前記被検体を透過したＸ線を検出する第１のＸ線検出器と、前記第１のＸ線検出器よりも小視野で高解像度を有し前記第１のＸ線検出器の視野内の固定位置で前記被検体を透過したＸ線を検出する第２のＸ線検出器とを有し、前記被検体を撮影する撮影部と、
前記第１のＸ線検出器を用いて収集したリアルタイムの第１の画像データをもとに前記第２のＸ線検出器による視野領域を示す枠画像を生成するとともに、前記第１の画像データの内、前記枠画像で示す領域の画像データを拡大処理する画像処理部と、
前記第１の画像データに基づく第1の画像に重畳して前記枠画像を表示する第１の表示部と、
前記第２のＸ線検出器を用いて前記被検体を撮影したときに収集される画像を、前記拡大処理した画像を用いて擬似的に表示する第２の表示部と、
を具備する医用画像撮影装置。
【請求項２】
前記第２のＸ線検出器は、前記第１のＸ線検出器の視野外の位置と、前記第１のＸ線検出器の視野内であって前記Ｘ線管と対峙する固定位置とに選択的に移動可能である請求項１記載の医用画像撮影装置。
【請求項３】
前記第２のＸ線検出器を用いて前記被検体を撮影したときに収集されるリアルタイムの第２の画像データに基づく第２の画像を表示する第３の表示部を備え、
前記枠画像が重畳された前記第１の画像と、前記第２の画像を比較可能に、前記第１、第３の表示部を配置した請求項１記載の医用画像撮影装置。
【請求項４】
前記第１のＸ線検出器を用いて収集された第１の画像データを記憶する記憶部を備え、
前記被検体を載置する天板と前記撮影部を相対的に移動させて前記第１の検出器を用いてパンニングしたときに、前記画像処理部は、前記パンニングによる移動に合わせて前記記憶部に記憶した前記第１の画像データ上の前記枠画像の領域を移動し、前記第１の画像の内、移動後の枠画像が示す領域の画像データを拡大処理して前記第２の表示部に表示する請求項１記載の医用画像撮影装置。
【請求項５】
前記第１のＸ線検出器を用いて撮影するときのＸ線照射条件を制御して、収集画像の輝度レベルを自動調整するＡＢＣ回路と、
前記ＡＢＣ回路によって得られる前記被検体の関心領域の収集画像のレベル分布と、前記枠画像で示す領域の収集画像のレベル分布との分布比を算出する算出部と、
前記第１のＸ線検出器を用いて撮影するときのＸ線照射条件に、前記分布比を乗じて前記第２のＸ線検出器を用いて撮影するときのＸ線照射条件を設定する設定部と、を具備する請求項１記載の医用画像撮影装置。
【請求項６】
前記設定部は、前記算出部で算出した前記分布比に、さらに前記第１のＸ線検出器の検出感度と前記第２のＸ線検出器の検出感度との感度比を乗じて、前記第２のＸ線検出器を用いて撮影するときのＸ線照射条件を設定する請求項５記載の医用画像撮影装置。
【請求項７】
被検体にＸ線を曝射するＸ線発生部と、前記被検体を透過したＸ線を検出する第１のＸ線検出器と、前記第１のＸ線検出器よりも小視野で高解像度を有し前記第１のＸ線検出器の視野内の固定位置で前記被検体を透過したＸ線を検出する第２のＸ線検出器とを有し、前記被検体を撮影する撮影部を備え、
前記第１のＸ線検出器を用いて収集したリアルタイムの第１の画像データをもとに前記第２のＸ線検出器による視野領域を示す枠を生成し、
前記第１の画像データの内、前記枠内の領域の画像データを拡大処理し、
前記拡大処理した画像を用いて擬似的に表示部に表示して前記第２のＸ線検出器を配置した際に得られるであろう擬似的な画像を見ながら、前もって前記第２のＸ線検出器の位置を決める医用画像撮影方法。
【請求項８】
前記第１のＸ線検出器を用いて収集した第１の画像データを記憶部に記憶し、
前記被検体を載置する天板と前記撮影部を相対的に移動させて前記第１の検出器を用いてパンニングしたときに、前記パンニングによる移動に合わせて前記記憶部に記憶した前記第１の画像データ上の前記枠画像の領域を移動し、前記第１の画像データの内、移動後の枠画像が示す領域の画像を拡大処理して前記表示部に表示し、前記第２のＸ線検出器を配置した際に得られるであろう擬似的な画像を見ながら、前もって前記第２のＸ線検出器の位置を決める請求項７記載の医用画像撮影方法。
【請求項９】
前記第１のＸ線検出器を用いて撮影するときのＸ線照射条件をＡＢＣ回路によって制御して、収集画像の輝度レベルを自動調整し、
前記ＡＢＣ回路によって得られる前記被検体の関心領域の収集画像のレベル分布と、前記枠画像で示す領域の収集画像のレベル分布との分布比を算出し、
前記第１のＸ線検出器を用いて撮影するときのＸ線照射条件に、前記分布比を乗じて前記第２のＸ線検出器を用いて撮影するときのＸ線照射条件を設定する請求項７記載の医用画像撮影方法。
【発明の詳細な説明】
【技術分野】
【０００１】
本発明の実施形態は、第１のＸ線検出器と第２のＸ線検出器を有する医用画像撮影装置及び医用画像撮影方法に関する。
【背景技術】
【０００２】
従来の医用画像撮影装置（例えばアンギオ装置と呼ばれるＸ線画像撮影装置）では、被検体Ｐに対してＸ線を発生するＸ線発生部と、被検体を透過したＸ線を２次元的に検出しＸ線投影データを生成するＸ線検出部を備えている。Ｘ線発生部とＸ線検出部は、アーム（１般にＣアームと呼ばれる）に支持されており、Ｃアームを寝台上の被検体の体軸方向に移動、又は被検体の体軸周りに回転することで、被検体を様々な方向から撮影することができる。
【０００３】
また、Ｘ線画像撮影装置を使用した検査において、関心領域は狭いが、より高い解像度で意図した領域を明瞭に観察したいという要望もある。この要望を満たすため、通常のＸ線検出器（第１の検出器）に加えて、小視野ではあるが高解像度の第２のＸ線検出器（第２の検出器）を組み合わせ、第１、第２の何れか一方の検出器に切り替えて撮影できるようにしたＸ線画像撮影装置もある。
【０００４】
例えば特許文献１に記載のＸ線撮影装置では、被検体を透過したＸ線を検出する広視野の第１のＸ線検出器と、第１のＸ線検出器よりも視野が小さく高解像度の第２のＸ線検出器を備え、第１のＸ線検出器によって検出した画像に第２のＸ線検出器で検出した画像をオーバーラップして表示するようにしている。また特許文献１の例では、第２のＸ線検出器の位置をＸ方向、Ｙ方向に移動可能にしている。
【０００５】
しかしながら、第２の検出器は視野サイズが狭いために、術者の関心領域を第２の検出器の視野サイズ内に設定するのが困難である。また第２の検出器の位置合わせのために時間がかかり、検査時間の長時間化や、被検者や術者の被曝が増えてしまい、さらなる改善が求められている。また第１のＸ線検出器と第２のＸ線検出器では、視野領域や感度が異なることから、Ｘ線の照射条件は同一ではないため、撮影条件の設定に時間がかかるという不具合もある。
【先行技術文献】
【特許文献】
【０００６】
【特許文献１】特開２００８−２２９２７０号公報
【発明の概要】
【発明が解決しようとする課題】
【０００７】
本発明が解決しようとする課題は、第２の検出器を用いて画像を収集する際の診断領域への位置合わせを容易に行うことができる医用画像撮影装置及び医用画像撮影方法を提供することにある。
【課題を解決するための手段】
【０００８】
実施形態に係る医用画像撮影装置は、被検体にＸ線を曝射するＸ線発生部と、前記被検体を透過したＸ線を検出する第１のＸ線検出器と、前記第１のＸ線検出器よりも小視野で高解像度を有し前記第１のＸ線検出器の視野内の固定位置で前記被検体を透過したＸ線を検出する第２のＸ線検出器とを有し前記被検体を撮影する撮影部と、前記第１のＸ線検出器を用いて収集したリアルタイムの第１の画像データをもとに前記第２のＸ線検出器による視野領域を示す枠画像を生成するとともに、前記第１の画像データの内、前記枠画像で示す領域の画像データを拡大処理する画像処理部と、前記第１の画像データに基づく第1の画像に重畳して前記枠画像を表示する第１の表示部と、前記第２のＸ線検出器を用いて前記被検体を撮影したときに収集される画像を、前記拡大処理した画像を用いて擬似的に表示する第２の表示部と、を具備する。
【図面の簡単な説明】
【０００９】
【図１】一実施形態に係る医用画像撮影装置の構成を示すブロック図。
【図２】一実施形態における医用画像撮影装置の全体構造を示す斜視図。
【図３】一実施形態における医用画像撮影装置の主要部を示す構成図。
【図４】一実施形態における画像撮影の動作を示す説明図。
【図５】第２の実施形態における画像撮影の動作を示す説明図。
【図６】第３の実施形態におけるＸ線の照射条件の設定動作を示す説明図。
【発明を実施するための形態】
【００１０】
以下、実施形態に係る医用画像撮影装置について図面を参照して詳細に説明する。尚、各図において同一箇所については同一の符号を付す。
【００１１】
（第1の実施形態）
図１は、一実施形態に係る医用画像撮影装置の構成を示すブロック図である。図１の医用画像撮影装置は、例えば、アンギオ装置と呼ばれるＸ線画像撮影装置１００であり、被検体Ｐに対してＸ線を発生するＸ線発生部１０と、被検体Ｐを透過したＸ線を２次元的に検出するとともに、検出結果に基づいてＸ線投影データを生成するＸ線検出部２０を備えている。
【００１２】
Ｘ線発生部１０は、Ｘ線管１１とＸ線絞り器１２を有するＸ線照射部と、高電圧制御部１３と高電圧発生器１４を備えている。Ｘ線管１１は、Ｘ線を発生する真空管であり、陰極（フィラメント）より放出された電子を高電圧により加速してタングステン陽極に衝突させＸ線を発生する。高電圧制御部１３は、システム制御部３３（後述）からの指示信号に従って高電圧発生器１４を制御し、Ｘ線管１１の管電流、管電圧、Ｘ線パルス幅、照射周期、撮影区間、照射時間等からなるＸ線照射条件の制御を行なう。
【００１３】
Ｘ線検出部２０は、第１のＸ線検出器２１１と、第１のＸ線検出器２１１から読み出された電荷を電圧に変換する電荷・電圧変換器２２と、電荷・電圧変換器２２の出力をデジタル信号に変換するＡ／Ｄ変換器２３を備え、Ａ／Ｄ変換器２３からＸ線投影データを出力する。
【００１４】
またＸ線検出部２０は、第２のＸ線検出器２１２を備えている。第２のＸ線検出器２１２は、第１のＸ線検出器２１１よりも小視野であるが高解像度を有する。また第２のＸ線検出器２１２は、第１のＸ線検出器２１１に比べてサイズが小さい。また第２のＸ線検出器２１２には、この第２のＸ線検出器２１２から読み出された電荷を電圧に変換する電荷・電圧変換器と、電荷・電圧変換器の出力をデジタル信号に変換するＡ／Ｄ変換器を備え、Ａ／Ｄ変換器からＸ線投影データを出力するが、便宜上、電荷・電圧変換器とＡ／Ｄ変換器図示は省略している。尚、第１のＸ線検出器２１１と第２のＸ線検出器２１２としては、一般的にＦＰＤ（Flat Panel Detector:平面検出器）が用いられる。
【００１５】
Ｘ線発生部１０と、Ｘ線検出部２０はアーム（Ｃアーム）２４に支持されている。Ｃアーム２４は、寝台の天板２５に載置した被検体Ｐの体軸方向に移動可能であり、また被検体Ｐの体軸周りに回転可能である。尚、Ｘ線発生部１０とＸ線検出部２０は撮影部２６を構成し、Ｃアーム２４を回転することで、撮影部２６は被検体Ｐの周囲を回転し、異なる複数の角度方向から被検体Ｐを撮影することができる。
【００１６】
またＸ線画像撮影装置１００は、画像データ記憶部３１、画像演算部３２、システム制御部３３、操作部３４、及び表示部３５を備えている。画像演算部３２は、第１のＸ線検出器２１１又は第２のＸ線検出器２１２によって収集されたＸ線投影データを処理して画像データを生成する。また生成された画像データに対し、必要に応じて輪郭強調やＳ／Ｎ改善等の画像処理を行なう。生成した画像データは画像データ記憶部３１に保存される。画像データ記憶部３１に保存された画像データは必要に応じて読みだされ、表示部３５に供給されて表示される。
【００１７】
システム制御部３３は、ＣＰＵと記憶回路（図示せず）、ＡＢＣ回路３３１を備え、操作部３４から供給された入力情報、設定情報及び選択情報に基づいてバスライン３９を介してＸ線画像撮影装置１００の各ユニットを統括的に制御する。
【００１８】
操作部３４は術者、医師等のユーザが各種コマンドの入力等を行なうもので、マウス、キーボード、トラックボール、ジョイスティック等の入力デバイスや、表示パネルあるいは各種スイッチ等を備えたインタラクティブなインターフェースを有する。また操作部３４は、天板２５の移動方向や移動速度の設定、撮像系の回動／移動方向及び回動／移動速度の設定、管電圧や管電流を含むＸ線照射条件の設定等を行なう。
【００１９】
表示部３５は、画像データの表示を行うため、表示データ生成部３６、変換部３７、モニタ３８を備えている。表示データ生成部３６は、画像データに対して付帯情報を合成したり、所定の表示フォーマットへの変換を行って表示データを生成する。また変換部３７は、表示データに対してＤ／Ａ（デジタル／アナログ）変換とテレビフォーマット変換を行なって画像信号を生成し、この画像信号を液晶等のモニタ３８に表示する。
【００２０】
またＸ線画像撮影装置１００は、移動機構部４０を備えている。移動機構部４０は、絞り移動制御部４１と機構制御部４２を有する。絞り移動制御部４１は、Ｘ線絞り器１２における絞り羽根等の移動制御を行ない、機構制御部４２は、天板２５の移動機構４３、撮影系移動機構４４、及び検出器移動機構４５の移動制御を行う。移動機構部４０は、操作部３４の操作に応答して動作し、システム制御部３３の制御のもとに各部の移動制御を行う。
【００２１】
図２は、Ｘ線画像撮影装置１００（アンギオ装置）の全体的な構成を示す斜視図である。図２において、Ｘ線発生部１０とＸ線検出部２０がＣアーム２４によって対向して支持されている。Ｘ線検出部２０は、第１の検出器２１１と第２の検出器２１２を含む。またＣアーム２４に対して寝台が配置されており、寝台の天板２５には、被検体（図示せず）が載置され、天板２５の位置及び高さは天板移動機構４３（図１）によって制御される。
【００２２】
Ｃアーム２４は、例えば天井部に設けられたレールに支持され、被検体の頭部（Cranial）から脚部（Caudal）に向かう体軸方向に移動可能である。またＣアーム２４の回転により撮影部２６（Ｘ線発生部１０とＸ線検出部２０）は、被検体の周囲を体軸回りに回転することができる。また撮影部２６をＣアーム２４に沿ってスライド回転することができる。
【００２３】
Ｘ線投影データは、画像演算部３２によって処理され、画像データを表示部３５に表示する。表示部３５は、例えば天井部に取り付けられ、ここでは、３つの表示部３５１，３５２，３５３を有する。また、寝台には、操作部３４１を取り付けており、操作部３４１の操作に応答してシステム制御部３３は、天板２５の高さ、位置の制御、Ｃアーム２４の移動／回転の制御、Ｘ線の照射範囲の調整、照射タイミングの制御等を行う。
【００２４】
図３は、第１の実施形態における医用画像撮影装置の主要部を示す構成図である。図３では、Ｘ線管１１、第１のＸ線検出器２１１、第２のＸ線検出器２１２、高電圧発生器１４、Ｃアーム２４、被検体Ｐを載置する天板２５、操作部３４１、表示部３５１〜３５３及び画像処理部３０を示している。画像処理部３０は、画像データ記憶部３１、画像演算部３２及びシステム制御部３３を含む。
【００２５】
第２のＸ線検出器２１２は、例えばＣアーム２４に取り付けられる。Ｃアーム２４には取付部材４６を設け、第２のＸ線検出器２１２は、ヒンジ４７を支点にして回転可能に取付部材４６に支持されている。したがって、第２のＸ線検出器２１２は、ヒンジ４７を支点にして回転することで、通常は第１のＸ線検出器２１１の視野外の位置（点線で示す）にあり、必要に応じてＸ線管１１と対峙する位置（実線で示す）に移動する。
【００２６】
尚、第２のＸ線検出器２１２の取付位置や回転機構は、図示の例に限らず、通常時は第１のＸ線検出器２１１の視野外の位置にあり、選択的にＸ線管１１と対峙する位置に移動できる構造であればよい。またＸ線管１１と対峙する位置に移動したあとに位置を微調整できるようにしてもよい。
【００２７】
表示部３５１には、第１のＸ線検出器２１１を用いて収集した画像が表示され、表示部３５２には、第１のＸ線検出器２１１を用いて収集した画像の一部が拡大して表示され、表示部３５３には、第２のＸ線検出器２１２を用いて収集した画像が表示される。
【００２８】
次に、図４を参照して第１の実施形態に係る医用画像撮影装置１００による画像撮影の動作を説明する。図４（ａ）は、第１のＸ線検出器２１１を用いて収集したリアルタイム画像５１を表示部３５１に表示した状態を示す。図４（ｂ）は、第１のＸ線検出器２１１を用いて収集したリアルタイム画像の一部を拡大した拡大画像５２を表示部３５２に表示した状態を示す。また図４（ｃ）は、第２のＸ線検出器２１２を用いて収集した画像５３を表示部３５３に表示した状態を示す。
【００２９】
表示部３５１のリアルタイム画像５１には、第２のＸ線検出器２１２がセットされた際の、第２のＸ線検出器２１２の視野を示す枠画像５４をリアルタイム画像５１上に表示する。第２のＸ線検出器２１２は、第１のＸ線検出器２１１の固定した位置にセットされるため、予め第２のＸ線検出器２１２の視野領域を示す枠画像５４を画像処理部３０（システム制御部３３）によって生成し、リアルタイム画像５１の上に重ねて表示する。
【００３０】
術者が操作部３４１を操作して、天板２５を移動してパンニング撮影すると、リアルタイム画像５１も天板２５の移動に伴って変動するが、第２のＸ線検出器２１２の視野領域を表す枠画像５４の表示位置は固定される。
【００３１】
また表示部３５２には、リアルタイム画像５１の内、枠画像５４で示す領域内の画像をデジタル的にズームした拡大画像５２を表示する。拡大画像５２は、第２のＸ線検出器２１２によって収集した画像５３と同じ大きさになるように拡大率を設定する。尚、画像の拡大は、リアルタイム画像５１を一旦画像データ記憶部３１に取り込み、取り込んだ画像データのうち枠画像５４で示す領域の画像データを表示部３５２の表示サイズに応じて拡大処理すればよい。
【００３２】
こうして拡大画像５２を観察することにより、第２のＸ線検出器を用いて被検体を撮影したときに収集される画像（検査対象となる注目部位の画像）を、擬似的に表示部３５２に表示することができる。即ち、表示部３５２の拡大画像５２は、擬似的に第２検出器２１２によって収集する画像を表す。通常、第２のＸ線検出器２１２の大きさは第１のＸ線検出器２１１に比べてかなり小さいため、表示部３５１に表示された枠画像５４内の画像を見ただけでは、注目部位を決定するのは難しいが、拡大して表示することにより、注目部位の設定が容易になる。
【００３３】
したがって、表示部３５２の画像５２と画像５１を比較することにより、第２のＸ線検出器２１２で撮影する領域を事前に確認することができる。また所望の位置で無かった場合では、天板２５を移動し、画像５２と５１を同時に確認していくことで、第２のＸ線検出器２１２の位置を調整したうえで、第２のＸ線検出器２１２を用いて収集した画像５３を表示部３５３に表示することができる。第２のＸ線検出器２１２による収集画像５３は、高解像度であり表示部３５３一杯に表示されるため表示部３５２の拡大画像５２とほぼ同じ大きさで表示される。
【００３４】
このように、第１の実施形態では、第１のＸ線検出器２１１よりも小視野であるが高解像度の第２のＸ線検出器２１２を用いてＸ線画像を収集する際に、第２のＸ線検出器２１２の視野領域を示す枠画像５４を第１のＸ線検出器の収集画像５１上に重畳して表示する。またこの枠内の画像を拡大表示して、表示部３５２に表示することにより、第２検出器画２１２による収集画像を予め擬似化して表示することができ、第２のＸ線検出器２１２を用いて画像収集する際の診断領域への位置合わせを、容易に行うことができる。
【００３５】
尚、第２のＸ線検出器２１２は、第１のＸ線検出器２１１に対して固定位置にセットされるため、第２のＸ線検出器２１２の視野内の画像の総ピクセル数と第１のＸ線検出器２１１と第２のＸ線検出器２１２のピクセルピッチの比から、表示部３５１上に描く枠画像５４の領域を算出することができる。また第１のＸ線検出器２１１と第２のＸ線検出器２１２のピクセルピッチの比から、表示部３５１上に描かれた枠画像５４の領域の画像データを何倍に拡大するかを演算することができ、表示部３５２に演算した拡大率による拡大画像５２を表示することができる。
【００３６】
（第２の実施形態）
次に第２の実施形態に係る医用画像撮影装置１００による画像撮影の動作を説明する。第１の実施形態ではリアルタイム画像５１の一部の画像領域を拡大してリアルタイムに拡大して拡大画像５２を表示したが、第２の実施形態では、第１のＸ線検出器２１１によって事前に収集した画像を基に擬似画像を生成して表示する。
【００３７】
即ち、図５（ａ）に示すように、第１のＸ線検出器２１１によって直前に収集された画像５１を表示部３５１に再生し、第１の実施例と同様に第２検出器２１２の表示領域を示す枠画像５４を表示する。
【００３８】
次に術者が操作部３４１を操作して天板２５を移動（パンニング）すると、その移動距離量が算出される。移動距離量は、機構制御部４２によって天板移動機構４３を移動させたときの移動量をもとに算出する。算出した移動距離量は、画像処理部３０に送られる。画像処理部３０では、移動距離を第１のＸ線検出器２１１のピクセル数の数値に変換する。
【００３９】
そして、図５（ａ）に示すように天板２５の移動量に応じて、表示部３５１に表示された枠画像５４をピクセル単位で移動する。図５（ａ）において、画像５１は天板２５を移動する前の再生画像を示し、枠画像５４の中心は線Ｘ０とＹ０の交点にある。一方、天板２５を移動してパンニングすると、その移動量に応じて枠画像５４の中心が軸Ｘ１とＹ１の交点に移動し、画像処理部３０は、移動後の枠画像５４’で示す領域内の画像をデジタルズームして拡大画像５２を表示部３５２に表示する。
【００４０】
さらに画像５１と拡大画像５２を観察し、被験者の注目部位（天板２５の位置）の位置を決定した後、第２のＸ線検出器２１２をセットする。表示部３５３には、第２のＸ線検出器２１２で収集した画像５３が表示される。第２のＸ線検出器２１２による収集画像５３は、高解像度であり表示部３５３に一杯に表示されるため表示部３５２の拡大画像５２とほぼ同じ大きさで表示される。即ち、表示部３５２の拡大画像５２は、擬似的に第２検出器２１２によって収集する画像を表す。
【００４１】
注目部位を決定する際に、常にＸ線を照射するのでは、被検体Ｐに対する被曝量が増えるが、第２の実施形態では常にＸ線を照射する必要がないため、被検体Ｐへの被曝量を低減することができる。
【００４２】
（第３の実施形態）
次に、図６を参照して第３の実施形態について説明する。第３の実施形態は、第２のＸ線検出器２１２による画像収集時のＸ線の照射条件の設定に関する。
【００４３】
図６（ａ）に示すように第１のＸ線検出器２１１による画像収集では、被検体Ｐの関心領域（ＲＯＩ）５５は広く、第２のＸ線検出器２１２の関心領域（ＲＯＩ）は狭い。即ち枠画像５４で示す範囲が、第２のＸ線検出器２１２の関心領域（ＲＯＩ）となる。このため、第１のＸ線検出器２１１を用いて撮影する場合のＸ線の照射条件を、そのまま第２のＸ線検出器２１２用いて撮影する場合の照射条件に適用することはできない。
【００４４】
そこで、第３の実施形態では、先ず、第１検出器２１１の収集画像の輝度レベルをシステム制御部３３に備えたＡＢＣ回路３３１によって自動調整する。ＡＢＣ（Auto Brightness Control）回路３３１は、透視画像データの中央エリア（ＲＯＩ５５）の輝度レベルを自動的に調整するもので、輝度レベルが最適レベルよりも低い場合にはＸ線照射量を増加させ、輝度レベルが最適レベルよりも高い場合にはＸ線照射量を減少するように、Ｘ線管１１に供給する管電圧、管電流を設定し、被検体Ｐの診断部位が変化しても最適レベルに制御する。
【００４５】
そして画像処理部３０は、ＡＢＣ回路３３１によって制御された関心領域５５の収集画像のレベル分布と、枠画像５４で示す領域の収集画像のレベル分布との分布比を算出する。即ち、第１のＸ線検出器２１１の収集画像によるＲＯＩ５５内の画素値分布を計測したあと、第２のＸ線検出器２１２の画像収集領域（枠画像５４の領域）の画素値分布を計測する。
【００４６】
図６（ｂ）は、第１検出器２１１の収集画像による画素値分布を示し、図６（ｃ）は、枠画像５４で示す領域の画素値分布を示す。次にそれぞれの画素値分布を基に分布比を算出する。例えば図６（ｂ）と図６（ｃ）の画素値分布のなかで頻度の高い部分（Ｓ１とＳ２）の画素値の比を求め、第１のＸ線検出器２１１のＸ線照射条件に、算出した分布比を乗算して、第２のＸ線検出器２１２へのＸ線照射条件を算出する。
【００４７】
また画像処理部３０には、第１のＸ線検出器２１１と第２のＸ線検出器２１２の感度比の情報が記憶されている。感度比は、Ｘ線検出器２１１、２１２にそれぞれＸ線を照射したときの出力画像信号レベルの比である。したがって、先に求めた第２のＸ線検出器２１２へのＸ線照射条件に感度比を乗じて第２のＸ線検出器２１２に対するＸ線照射条件を設定する。
【００４８】
尚、画像処理部３０は、ＡＢＣ回路３３１によって得られる被検体の関心領域の収集画像のレベル分布と、前記枠画像で示す領域の収集画像のレベル分布との分布比を算出する算出部を構成する。また第１のＸ線検出器を用いて撮影するときのＸ線照射条件に、分布比を乗じて第２のＸ線検出器を用いて撮影するときのＸ線照射条件を設定する設定部を構成する。
【００４９】
こうして、第２のＸ線検出器２１２へのＸ線照射条件を事前に算出することができ、これを初期値として使用することができる。初期値が設定されたあとは、Ｘ線管１１の管電流、管電圧を必要に応じて微調整すれば済み、第２のＸ線検出器２１２を用いた画像収集を容易に行うことができる。
【００５０】
以上述べたように本発明の実施形態によれば、第１のＸ線検出器よりも高解像度で小視野の第２のＸ線検出器を用いてＸ線画像を収集する際に、第２のＸ線検出器の視野領域枠を第１のＸ線検出器の収集画像上に表示し、この枠内の画像を拡大表示することにより、第２のＸ線検出器を用いて画像収集する際の診断領域への位置合わせを、容易に行うことができる。また、第２のＸ線検出器を用いて撮影する際のＸ線条件設定を迅速に行うことができる。また被曝量を削減し、検査時間を短縮することができる。
【００５１】
以上、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５２】
１００…Ｘ線画像撮影装置（アンギオ装置）
１０…Ｘ線発生部
１１…Ｘ線管
２０…Ｘ線検出部
２１１，２１２…第１、第２のＸ線検出器
２４…Ｃアーム
２５…天板
２６…撮影部
３０…画像処理部
３１…画像データ記憶部
３２…画像演算部
３３…システム制御部
３４…操作部
３５３（３５１，３５２，３５３）…表示部
３９…バスライン
４０…移動機構部
４５…検出器移動機構
【図１】
2014033850.tif 000003
【図２】
2014033850.tif 000004
【図３】
2014033850.tif 000005
【図４】
2014033850.tif 000006
【図５】
2014033850.tif 000007
【図６】
2014033850.tif 000008